(57)【要約】【課題】再生器と吸収器と凝縮器と蒸発器と過熱器とを備え、吸収式冷凍サイクルを行う吸収式冷凍装置において、吸収液が再生器の液撒布器の外部に飛散することを抑制する。【解決手段】再生器（11）は、吸収液を撒布する液撒布器（13）と、この液撒布器（13）から撒布された吸収液から冷媒蒸気を発生させることによって吸収液の濃度を上昇させる伝熱プレート（14）とを有する。液撒布器（13）は、過熱器（38）の下流で且つ伝熱プレート（14）の上流に配置され、過熱器（38）から吸収液が供給されて、この吸収液から発生した冷媒蒸気を吸収液から分離し、吸収液を伝熱プレート（14）へ、冷媒蒸気を凝縮器（35）へ供給する。【選択図】図１
2014122730.tif 000002
【特許請求の範囲】
【請求項１】
再生器（11）と吸収器（22）と凝縮器（35）と蒸発器（24）と過熱器（38）とを備え、吸収式冷凍サイクルを行う吸収式冷凍装置であって、
上記再生器（11）は、吸収液を撒布する液撒布器（13）と、該液撒布器（13）から撒布された吸収液から冷媒蒸気を発生させることによって該吸収液の濃度を上昇させる発生部（14）とを有し、
上記過熱器（38）の下流で且つ上記発生部（14）の上流に配置され、該過熱器（38）から吸収液が供給されて、該吸収液から発生した冷媒蒸気を該吸収液から分離し、該吸収液を該発生部（14）へ、該冷媒蒸気を上記凝縮器（35）へ供給する気液分離器（13,39）を備えていることを特徴とする吸収式冷凍装置。
【請求項２】
請求項１において、
上記気液分離器は、上記液撒布器（13）によって構成されていることを特徴とする吸収式冷凍装置。
【請求項３】
請求項２において、
上記液撒布器（13）は、
ケース（130）と、該ケース（130）の底部に設けられ、該ケース（130）へ供給された吸収液を上記発生部（14）に向かって撒布する液撒布部（131）と、該ケース（130）の内部空間を上下に二分して上方空間（S1）と下方空間（S2）とに区画する区画部材（132,134）と、該上方空間（S1）と該下方空間（S2）とを連通させる連通手段とを有し、
上記ケース（130）に、上記上方空間（S1）と該ケース（130）の外部とを連通させる連通孔（130c）が形成され、
上記過熱器（38）から吸収液が上記下方空間（S2）に供給されて、該吸収液から発生した冷媒蒸気を該下方空間（S2）から上記連通手段、上記上方空間（S1）及び上記ケース（130）の連通孔（130c）を通じて該ケース（130）の外部に流出させることによって該吸収液から分離するように構成されていることを特徴とする吸収式冷凍装置。
【請求項４】
請求項３において、
上記連通手段は、上記区画部材（132）に上記上方空間（S1）と上記下方空間（S2）とを連通させるように形成された複数の連通孔（132b）によって構成されていることを特徴とする吸収式冷凍装置。
【請求項５】
請求項３において、
上記区画部材は、網状部材（134）であり、
上記連通手段は、上記網状部材（134）の網目によって構成されていることを特徴とする吸収式冷凍装置。
【発明の詳細な説明】
【技術分野】
【０００１】
本発明は、再生器と吸収器と凝縮器と蒸発器と過熱器とを備え、吸収式冷凍サイクルを行う吸収式冷凍装置に関するものである。
【背景技術】
【０００２】
従来より、再生器と吸収器と凝縮器と蒸発器とを備えた吸収式冷凍装置が知られている。特許文献１には、エンジン等の排熱を利用して作動する吸収式冷凍装置が開示されている。
【０００３】
この吸収式冷凍装置では、吸収器と再生器の間で吸収液が循環する。吸収器では、吸収液が冷媒蒸気を吸収し、吸収液の濃度が低下する。吸収器から再生器へは、比較的低濃度の吸収液が送られる。再生器では、吸収器から供給された吸収液が加熱され、吸収液から冷媒蒸気が発生し、吸収液の濃度が上昇する。再生器から吸収器へは、比較的高濃度の吸収液が送られる。再生器において発生した冷媒蒸気は、凝縮器へ送られて凝縮し、その後に蒸発器へ送られる。
【０００４】
特許文献１に開示された吸収式冷凍装置は、吸収器の上流で且つ再生器の下流に配置された過熱器をさらに備えている。この過熱器では、吸収器から供給された吸収液が加熱され、この加熱された吸収液が再生器へ送られる。このため、発生器の熱負荷を低減することができ、発生器を小型化することができる。
【０００５】
また、特許文献２には、再生器が液撒布器とこの液撒布器の下方に配置された伝熱部材（発生部）とを有する吸収式冷凍装置が開示されている。液撒布器では、吸収液が撒布される。伝熱部材では、液撒布器から撒布された吸収液が加熱され、吸収液から冷媒蒸気が発生し、吸収液の濃度が上昇する。
【先行技術文献】
【特許文献】
【０００６】
【特許文献１】特開２００９−００２５３９号公報
【特許文献２】特開２００５−３２１１６９号公報
【発明の概要】
【発明が解決しようとする課題】
【０００７】
ところで、特許文献１に開示された吸収式冷凍装置において、再生器として特許文献２に開示された再生器を用いると、過熱器では、上述のように、吸収器から供給された吸収液が加熱されるため、液撒布器では、過熱器から供給された過熱状態の吸収液に含まれた冷媒が蒸発（フラッシュ）し、吸収液から冷媒蒸気が発生する。この冷媒蒸気の発生（フラッシュ）によって、吸収液が液撒布器の外部に飛散するという問題がある。このように、吸収液が液撒布器の外部に飛散すると、吸収液を液撒布器から伝熱部材へ均一に撒布できない。なお、特許文献２に開示された吸収式冷凍装置では、過熱器を備えていないため、液撒布器において、吸収液に含まれた冷媒が蒸発（フラッシュ）することはない。
【０００８】
本発明は、かかる点に鑑みてなされたものであり、その目的は、再生器と吸収器と凝縮器と蒸発器と過熱器とを備え、吸収式冷凍サイクルを行う吸収式冷凍装置において、吸収液が再生器の液撒布器の外部に飛散することを抑制することにある。                  
【課題を解決するための手段】
【０００９】
第１の発明は、再生器（11）と吸収器（22）と凝縮器（35）と蒸発器（24）と過熱器（38）とを備え、吸収式冷凍サイクルを行う吸収式冷凍装置であって、上記再生器（11）は、吸収液を撒布する液撒布器（13）と、該液撒布器（13）から撒布された吸収液から冷媒蒸気を発生させることによって該吸収液の濃度を上昇させる発生部（14）とを有し、上記過熱器（38）の下流で且つ上記発生部（14）の上流に配置され、該過熱器（38）から吸収液が供給されて、該吸収液から発生した冷媒蒸気を該吸収液から分離し、該吸収液を該発生部（14）へ、該冷媒蒸気を上記凝縮器（35）へ供給する気液分離器（13,39）を備えていることを特徴とするものである。
【００１０】
第１の発明では、過熱器（38）の下流で且つ再生器（11）の発生部（14）の上流に配置された気液分離器（13,39）では、過熱器（38）から吸収液が供給されて、この吸収液から発生した冷媒蒸気が吸収液から分離される。そして、吸収液は発生部（14）へ、冷媒蒸気は凝縮器（35）へ供給される。つまり、気液分離器（13,39）では、吸収液が冷媒蒸気から分離されて、吸収液のみが発生部（14）へ供給される。
【００１１】
第２の発明は、上記第１の発明において、上記気液分離器は、上記液撒布器（13）によって構成されていることを特徴とするものである。
【００１２】
第２の発明では、気液分離器を再生器（11）の液撒布器（13）によって構成しているため、気液分離器を別途設けずに済む。
【００１３】
第３の発明は、上記第２の発明において、上記液撒布器（13）は、ケース（130）と、該ケース（130）の底部に設けられ、該ケース（130）へ供給された吸収液を上記発生部（14）に向かって撒布する液撒布部（131）と、該ケース（130）の内部空間を上下に二分して上方空間（S1）と下方空間（S2）とに区画する区画部材（132,134）と、該上方空間（S1）と該下方空間（S2）とを連通させる連通手段とを有し、上記ケース（130）に、上記上方空間（S1）と該ケース（130）の外部とを連通させる連通孔（130c）が形成され、上記過熱器（38）から吸収液が上記下方空間（S2）に供給されて、該吸収液から発生した冷媒蒸気を該下方空間（S2）から上記連通手段、上記上方空間（S1）及び上記ケース（130）の連通孔（130c）を通じて該ケース（130）の外部に流出させることによって該吸収液から分離するように構成されていることを特徴とするものである。
【００１４】
第３の発明では、再生器（11）の液撒布器（13）では、過熱器（38）から吸収液がケース（130）の内部空間の下方空間（S2）に供給されて、この吸収液から発生した冷媒蒸気が下方空間（S2）から連通手段、上方空間（S1）及びケース（130）の連通孔（130c）を通ってケース（130）の外部に流出することによって吸収液から分離される。一方、吸収液は、冷媒蒸気の発生（フラッシュ）によって飛び散るが、区画部材（132,134）によって下方空間（S2）から上方空間（S1）に飛散すること、ひいては、ケース（130）の外部に飛散することが抑制される。つまり、液撒布器（13）では、吸収液が冷媒蒸気から分離され、吸収液のみが再生器（11）の発生部（14）へ供給される。
【００１５】
第４の発明は、上記第３の発明において、上記連通手段は、上記区画部材（132）に上記上方空間（S1）と上記下方空間（S2）とを連通させるように形成された複数の連通孔（132b）によって構成されていることを特徴とするものである。
【００１６】
第４の発明では、連通手段を、区画部材（132）に上方空間（S1）と下方空間（S2）とを連通させるように形成された複数の連通孔（132b）によって構成しているため、冷媒蒸気を下方空間（S2）から区画部材（132）の連通孔（132b）を通って上方空間（S1）に流出させることができる。
【００１７】
第５の発明は、上記第３の発明において、上記区画部材は、網状部材（134）であり、上記連通手段は、上記網状部材（134）の網目によって構成されていることを特徴とするものである。
【００１８】
第５の発明では、連通手段を、網状部材（134）の網目によって構成しているため、冷媒蒸気を下方空間（S2）から網状部材（134）の網目を通って上方空間（S1）に流出させることができる。
【発明の効果】
【００１９】
本発明によれば、過熱器（38）の下流で且つ再生器（11）の発生部（14）の上流に配置された気液分離器（13,39）では、過熱器（38）から吸収液が供給されて、この吸収液から発生した冷媒蒸気が吸収液から分離される。そして、吸収液は発生部（14）へ、冷媒蒸気は凝縮器（35）へ供給される。つまり、気液分離器（13,39）では、吸収液が冷媒蒸気から分離されて、吸収液のみが発生部（14）へ供給される。このため、吸収液が液撒布器（13）の外部に飛散することを抑制することができる。したがって、吸収液を液撒布器（13）から発生部（14）へ均一に撒布することができる。
【００２０】
また、上記第２の発明によれば、気液分離器を再生器（11）の液撒布器（13）によって構成しているため、気液分離器を別途設けずに済む。このため、部材点数を削減することができる。
【００２１】
また、上記第３の発明によれば、再生器（11）の液撒布器（13）では、過熱器（38）から吸収液がケース（130）の内部空間の下方空間（S2）に供給されて、この吸収液から発生した冷媒蒸気が下方空間（S2）から連通手段、上方空間（S1）及びケース（130）の連通孔（130c）を通ってケース（130）の外部に流出することによって吸収液から分離される。一方、吸収液は、冷媒蒸気の発生（フラッシュ）によって飛び散るが、区画部材（132,134）によって下方空間（S2）から上方空間（S1）に飛散すること、ひいては、ケース（130）の外部に飛散することが抑制される。つまり、液撒布器（13）では、吸収液が冷媒蒸気から分離され、吸収液のみが再生器（11）の発生部（14）へ供給される。このため、区画部材（132,134）という簡単な構造で、吸収液が液撒布器（13）の外部に飛散することを抑制することができる。
【００２２】
また、上記第４の発明によれば、連通手段を、区画部材（132）に上方空間（S1）と下方空間（S2）とを連通させるように形成された複数の連通孔（132b）によって構成しているため、冷媒蒸気を下方空間（S2）から区画部材（132）の連通孔（132b）を通って上方空間（S1）に流出させることができる。このため、簡単な構造で、冷媒蒸気を下方空間（S2）から上方空間（S1）に流出させることができる。
【００２３】
また、上記第５の発明によれば、連通手段を、網状部材（134）の網目によって構成しているため、冷媒蒸気を下方空間（S2）から網状部材（134）の網目を通って上方空間（S1）に流出させることができる。このため、簡単な構造で、冷媒蒸気を下方空間（S2）から上方空間（S1）に流出させることができる。
【図面の簡単な説明】
【００２４】
【図１】図１は、実施形態１の冷凍システムおよび空気調和装置の概略構成を示す配管系統図である。
【図２】図２は、実施形態１の再生器を示す斜視図である。
【図３】図３は、実施形態１の再生器の内部構造を示す斜視図である。
【図４】図４は、実施形態１の液撒布器および伝熱プレートを示す断面図である。
【図５】図５は、実施形態１の区画板を示す平面図である。
【図６】図６は、実施形態１の区画部材の変形例を示す平面図である。
【図７】図７は、実施形態２の冷凍システムおよび空気調和装置の概略構成を示す配管系統図である。
【発明を実施するための形態】
【００２５】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００２６】
《発明の実施形態１》
本発明の実施形態１について説明する。本実施形態の冷凍システム（1）は、吸収式冷凍装置（10）と熱源装置（40）とを備えている。後述するように、この冷凍システム（1）は、空気調和装置（60）に接続されている。
【００２７】
〈吸収式冷凍装置〉
図１に示すように、吸収式冷凍装置（10）は、再生器（11）と吸収器（22）と凝縮器（35）と蒸発器（24）と溶液熱交換器（37）と過熱器（38）とを備え、吸収式冷凍サイクルを行う。この吸収式冷凍装置（10）は、臭化リチウム（ＬｉＢｒ）水溶液を吸収液として用い、水（Ｈ２Ｏ）を冷媒として用いる。また、この吸収式冷凍装置（10）は、熱源装置（40）から供給された温熱を利用して作動する。吸収式冷凍装置（10）の運転によって得られた冷熱は、空気調和装置（60）の冷媒を冷却するために利用される。
【００２８】
図１〜図４に示すように、再生器（11）は、発生容器（12）と液撒布器（13）と伝熱プレート（14）とを備えている。発生容器（12）は、起立した中空直方体状の部材である。発生容器（12）の頂部には、吸収液入口（120）が形成されている。発生容器（12）の底部には、吸収液出口（121）が形成されている。発生容器（12）の一側面の上端部には、蒸気出口（122）が形成されている。発生容器（12）における一側面とは反対側の側面の下端部には、熱媒体入口（123）が形成されている。発生容器（12）における一側面とは反対側の側面の上端部には、熱媒体出口（124）が形成されている。
【００２９】
液撒布器（13）と伝熱プレート（14）とは、組になっている。本実施形態の再生器（11）では、液撒布器（13）及び伝熱プレート（14）の組を２組備えている。この２組の液撒布器（13）及び伝熱プレート（14）は、発生容器（12）の内部空間に並設されている。この発生容器（12）の熱媒体入口（123）及び熱媒体出口（124）は、伝熱プレート（14）毎に設けられている。なお、図１等では、１組の液撒布器（13）及び伝熱プレート（14）のみを図示している。
【００３０】
気液分離器である液撒布器（13）は、発生容器（12）の内部空間の上端部に設置され、下方へ向かって流体を撒布する。液撒布器（13）は、ケース（130）と液撒布部（131）と区画板（132）とを備えている。
【００３１】
ケース（130）は、その下方空間（S2）（この下方空間（S2）は後述する）に過熱器（38）から流出した吸収液が流入する。ケース（130）は、上方ケース部（130a）と下方ケース部（130b）とを備えている。カバー部材である上方ケース部（130a）は、下方に向かって開口した直方体状の箱部材である。下方ケース部（130b）は、上方に向かって開口した直方体状の箱部材である。下方ケース部（130b）の長さは、上方ケース部（130a）の長さよりも長い。ケース（130）は、下方ケース部（130b）に上方ケース部（130a）を嵌め込むことによって形成されている（図４参照）。ケース（130）の長さ方向両端部は、下方ケース部（130b）の長さが上方ケース部（130a）の長さよりも長いため、それぞれ上方に向かって開口している。これらの開口は、後述する上方空間（S1）とケース（130）の外部とを連通させる連通孔（130c）を構成している。
【００３２】
液撒布部（131）は、ケース（130）の底部に設置され、ケース（130）の下方空間（S2）へ供給された吸収液を伝熱プレート（14）に向かって撒布する。液撒布部（131）は、液収容部（131a）と液滴下部（131b）とを備えている。液収容部（131a）は、下方ケース部（130b）の底部の幅方向中央部が窪むように一体に形成され、ケース（130）の下方空間（S2）へ供給された吸収液を収容する。液滴下部（131b）は、液収容部（131a）の幅方向両側にそれぞれ設置され、液収容部（131a）に収容された吸収液を伝熱プレート（14）の表面へ滴下する。各液滴下部（131b）は、２枚の板状部材（131c）によって構成されている。これらの板状部材（131c）は、互いに上下方向に延びるように近接配置されている。液収容部（131a）の両側壁には、液収容部（131a）の内部空間と各液滴下部（131b）における２枚の板状部材（131c）の間の隙間とを連通させるための複数の連通孔（131d）が形成されている。これらの連通孔（131d）は、互いにケース長さ方向に所定間隔を空けて配置されている。液撒布部（131）では、液収容部（131a）に収容された吸収液が連通孔（131d）及び液滴下部（131b）における２枚の板状部材（131c）の間の隙間を通って伝熱プレート（14）の表面へ滴下される。
【００３３】
図５にも示すように、区画部材である区画板（132）は、下方ケース部（130b）の内部空間の上下方向中央部に設置され、ケース（130）の内部空間を上下に二分して上方空間（S1）と下方空間（S2）とに区画する。区画板（132）の中央部には、溶液配管（133）を貫通させる貫通孔（132a）が形成されている。この溶液配管（133）は、上方ケース部（130a）の上壁を貫通し、発生容器（12）の吸収液入口（120）と下方空間（S2）とを連通させる。区画板（132）の貫通孔（132a）の周囲には、上方空間（S1）と下方空間（S2）とを連通させる複数の連通孔（132b）が形成されている。これらの連通孔（132b）は、上方空間（S1）と下方空間（S2）とを連通させる連通手段を構成している。
【００３４】
発生部である伝熱プレート（14）は、発生容器（12）の内部空間における液撒布器（13）の下方（下流）に設置され、液撒布器（13）から撒布された吸収液を加熱して冷媒蒸気を発生させることによって吸収液の濃度を上昇させる。伝熱プレート（14）は、その内部に内部流路（140）が形成された熱交換器であって、この内部流路（140）を流れる熱媒体と伝熱プレート（14）の表面を流れる吸収液とを熱交換させる。内部流路（140）は、その入口端が伝熱プレート（14）の下端部に配置されて発生容器（12）の熱媒体入口（123）に接続され、その出口端が伝熱プレート（14）の上端部に配置されて発生容器（12）の熱媒体出口（124）に接続されている。
【００３５】
再生器（11）の発生容器（12）の蒸気出口（122）には、蒸気配管（18）が接続されている。図１に示すように、再生器（11）は、蒸気配管（18）を介して凝縮器（35）の一端に接続されている。凝縮器（35）の他端は、配管を介して蒸発器（24）に接続されている。凝縮器（35）は、再生器（11）から供給された冷媒蒸気（水蒸気）を室外空気と熱交換させる熱交換器である。凝縮器（35）の近傍には、凝縮器（35）へ室外空気を送るためのファン（36）が配置されている。
【００３６】
吸収器（22）と蒸発器（24）とは、一体に形成されている。一体形成された吸収器（22）及び蒸発器（24）は、一つのシェル部材（20）を備えている。シェル部材（20）の内部空間は、エリミネータ（21）によって左右に区画されている。エリミネータ（21）は、そこを通過する冷媒蒸気から液滴状の冷媒を分離するための部材である。
【００３７】
シェル部材（20）の内部空間では、エリミネータ（21）によって区画された一方の空間に、蒸発器（24）を構成する撒布部材（25）及び冷却管（26）が設置されている。冷却管（26）は、後述する空気調和装置（60）の冷媒回路（70）に接続される伝熱管である。撒布部材（25）は、冷却管（26）の上方に配置されている。この撒布部材（25）は、配管を介して凝縮器（35）の他端に接続され、凝縮器（35）から供給された液冷媒を冷却管（26）に向けて撒布する。蒸発器（24）では、冷却管（26）の内部を流れる空気調和装置（60）の冷媒が、撒布部材（25）から撒布された吸収式冷凍装置（10）の冷媒（Ｈ２Ｏ）と熱交換する。
【００３８】
また、シェル部材（20）の内部空間では、エリミネータ（21）によって区画された他方の空間に、吸収器（22）を構成する撒布部材（23）が設置されている。撒布部材（23）は、後述する吸収側循環回路（30）に接続され、供給された吸収液を下方に向けて撒布する。
【００３９】
シェル部材（20）には、吸収側循環回路（30）が接続されている。吸収側循環回路（30）は、その始端がシェル部材（20）の底部に接続され、その終端が吸収器（22）の撒布部材（23）に接続されている。吸収側循環回路（30）には、その始端から終端に向かって順に、溶液ポンプ（31）と冷却用熱交換器（32）とが配置されている。溶液ポンプ（31）は、シェル部材（20）の底部に溜まった吸収液を吸い込んで吐出する。冷却用熱交換器（32）は、溶液ポンプ（31）から吐出された吸収液を室外空気と熱交換させる熱交換器である。冷却用熱交換器（32）の近傍には、冷却用熱交換器（32）へ室外空気を送るためのファン（33）が配置されている。
【００４０】
なお、本実施形態の吸収式冷凍装置（10）では、一つのファンが、凝縮器用のファン（36）と冷却用熱交換器用のファン（33）とを兼ねていてもよい。この場合は、一つのファンによって凝縮器（35）と冷却用熱交換器（32）の両方へ室外空気が供給される。
【００４１】
溶液熱交換器（37）は、第１流路（37a）と第２流路（37b）とが形成されたプレート式熱交換器であって、第１流路（37a）を流れる吸収液と第２流路（37b）を流れる吸収液とを熱交換させる。また、溶液用熱交換器は、第２流路（37b）での流体の流通方向が第１流路（37a）での流体の流通方向とは逆向きになる対向流型の熱交換器である。
【００４２】
溶液熱交換器（37）の第１流路（37a）は、その入口端が配管を介して吸収側循環回路（30）における溶液ポンプ（31）と冷却用熱交換器（32）の間に接続され、その出口端が溶液配管（15）を介して過熱器（38）の後述する第２流路（38b）の入口端に接続されている。溶液熱交換器（37）の第２流路（37b）は、その入口端が溶液配管（16）を介して再生器（11）の発生容器（12）の吸収液出口（121）に接続され、その出口端が配管を介してシェル部材（20）の底部に接続されている。
【００４３】
過熱器（38）は、第１流路（38a）と第２流路（38b）とが形成されたプレート式熱交換器であって、第１流路（38a）を流れる熱媒体と第２流路（38b）を流れる吸収液とを熱交換させる。また、過熱器（38）は、第２流路（38b）での流体の流通方向が第１流路（38a）での流体の流通方向とは逆向きになる対向流型の熱交換器である。
【００４４】
過熱器（38）の第１流路（38a）は、その入口端が熱媒体配管（51）を介して熱搬送用循環回路（50）における集熱部（41）の熱媒体の流出側と再生器（11）の発生容器（12）の熱媒体入口（123）の間に接続され（熱搬送用循環回路（50）及び集熱部（41）は後述する）、その出口端が熱媒体配管（52）を介して熱搬送用循環回路（50）における発生容器（12）の熱媒体出口（124）と集熱部（41）の熱媒体の流入側の間に接続されている。過熱器（38）の第２流路（38b）は、その入口端が溶液配管（15）を介して溶液熱交換器（37）の第１流路（37a）の出口端に接続され、その出口端が溶液配管（17）を介して発生容器（12）の吸収液入口（120）に接続されている。
【００４５】
〈熱源装置〉
図１に示すように、熱源装置（40）は、集熱部（41）と熱搬送用循環回路（50）を備えている。この熱源装置（40）は、集熱部（41）において得られた温熱を、熱搬送用循環回路（50）の熱媒体を介して吸収式冷凍装置（10）の再生器（11）へ供給する。
【００４６】
熱搬送用循環回路（50）は、配管を介して吸収式冷凍装置（10）の過熱器（38）に接続されることによって、ブライン等の熱媒体が循環する閉回路を形成する。具体的に、図１及び図２に示すように、熱搬送用循環回路（50）は、その一端が再生器（11）の発生容器（12）の熱媒体入口（123）に接続され、その他端が発生容器（12）の熱媒体出口（124）に接続される。
【００４７】
〈空気調和装置〉
上述したように、空気調和装置（60）は、本実施形態の冷凍システム（1）に接続されている。この空気調和装置（60）は、室外ユニット（61）と室内ユニット（62）とを備えている。また、この空気調和装置（60）は、冷媒が充填された冷媒回路（70）を備えており、蒸気圧縮式冷凍サイクルを行う。
【００４８】
図１に示すように、冷媒回路（70）には、圧縮機（71）と、四方切換弁（72）と、室外熱交換器（73）と、膨張弁（74）と、室内熱交換器（75）とが設けられている。また、冷媒回路（70）は、配管を介して吸収式冷凍装置（10）の冷却管（26）に接続されることによって、冷媒が循環する閉回路を形成する。圧縮機（71）、四方切換弁（72）、室外熱交換器（73）及び膨張弁（74）は、室外ユニット（61）に収容される。一方、室内熱交換器（75）は、室内ユニット（62）に収容される。
【００４９】
冷媒回路（70）において、圧縮機（71）は、その吐出口が四方切換弁（72）の第１のポートに接続され、その吸入口が四方切換弁（72）の第２のポートに接続される。この冷媒回路（70）では、四方切換弁（72）の第３のポートから第４のポートに向かって順に、室外熱交換器（73）と、冷却管（26）と、膨張弁（74）と、室内熱交換器（75）とが配置されている。
【００５０】
四方切換弁（72）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。室外熱交換器（73）は、冷媒回路（70）の冷媒を室外空気と熱交換させる熱交換器である。室外熱交換器（73）の近傍には、室外熱交換器（73）へ室外空気を送るための室外ファン（63）が配置されている。室内熱交換器（75）は、冷媒回路（70）の冷媒を室内空気と熱交換させる熱交換器である。室内熱交換器（75）の近傍には、室内熱交換器（75）へ室内空気を送るための室内ファン（64）が配置されている。
【００５１】
−冷凍システムの運転動作−
本実施形態の冷凍システム（1）は、夏季などの冷房負荷が比較的高い状況において空気調和装置（60）が冷房運転を行っているときに、後述するような運転動作を行う。空気調和装置（60）の暖房運転中と停止中には、冷凍システム（1）は作動しない。また、空気調和装置（60）の冷房運転中であっても、室内の冷房負荷が比較的低い場合は、冷凍システム（1）は作動しない。
【００５２】
ここでは、本実施形態の冷凍システム（1）の運転動作を説明する。
【００５３】
冷凍システム（1）の熱源装置（40）では、熱搬送用循環回路（50）を熱媒体が循環する。
【００５４】
吸収式冷凍装置（10）では、溶液ポンプ（31）が作動し、吸収側循環回路（30）を吸収液が循環する。溶液ポンプ（31）は、シェル部材（20）の底部に溜まった吸収液を吸い込んで吐出する。溶液ポンプ（31）から吐出された吸収液は、その一部が溶液熱交換器（37）へ向かって流れ、残りが冷却用熱交換器（32）へ向かって流れる。
【００５５】
冷却用熱交換器（32）には、ファン（33）によって室外空気が供給される。冷却用熱交換器（32）では、流入した吸収液が室外空気へ放熱し、吸収液の温度が低下する。冷却用熱交換器（32）において冷却された吸収液は、吸収器（22）の液撒布部材（23）へ供給され、液撒布部材（23）によってシェル部材（20）の内部空間に撒布される。液撒布部材（23）によって撒布された吸収液は、蒸発器（24）において発生した冷媒蒸気（水蒸気）を吸収しながら落下する。
【００５６】
上述したように、溶液ポンプ（31）から吐出された吸収液の一部は、溶液熱交換器（37）へ向かって流れる。この吸収液は、溶液熱交換器（37）の第１流路（37a）へ流入する。吸収液は、この第１流路（37a）を流れる間に第２流路（37b）を流れる吸収液から吸熱し、その温度が上昇する。溶液熱交換器（37）の第１流路（37a）から流出した吸収液は、溶液配管（15）を通って過熱器（38）の第２流路（38b）へ流入する。
【００５７】
過熱器（38）において、吸収液は、第２流路（38b）を流れる間に第１流路（38a）を流れる熱媒体から吸熱し、その温度が上昇する。過熱器（38）の第２流路（38b）において、吸収液の温度は、概ねその沸点にまで上昇する。つまり、過熱器（38）の第２流路（38b）において、吸収液の温度は、その沸点以下となっている。このため、過熱器（38）の第２流路（38b）では、吸収液が顕熱変化する。
【００５８】
過熱器（38）の第２流路（38b）から流出した吸収液は、溶液配管（17）及び溶液配管（133）を通って再生器（11）の液撒布器（13）の下方空間（S2）へ流入する。
【００５９】
ここで、吸収液の圧力は、溶液配管（16）を通過する間に若干低下する。また、再生器（11）は、溶液ポンプ（31）の下流で且つ凝縮器（35）の上流に配置されている。そして、過熱器（38）の第２流路（38b）を流れる吸収液は、溶液ポンプ（31）による圧力が作用するため、圧力が高くなる。このため、発生容器（12）の内部空間の圧力は、過熱器（38）の第２流路（38b）を流れる吸収液の圧力よりも低くなる。
【００６０】
吸収液の沸点は、吸収液の圧力が低いほど低くなる。また、液撒布器（13）の下方空間（S2）よりも上流の溶液配管（17）及び溶液配管（133）を流れる吸収液は、溶液ポンプ（31）による圧力が作用するため、圧力が高くなる。このため、液撒布器（13）の下方空間（S2）へ供給される吸収液の温度は、発生容器（12）の内圧における吸収液の沸点よりも高くなる。つまり、液撒布器（13）の下方空間（S2）には、過熱状態の吸収液が供給される。従って、液撒布器（13）の下方空間（S2）へ供給された吸収液に含まれた冷媒（水）が蒸発（フラッシュ）し、この吸収液から冷媒蒸気（水蒸気）が発生する。
【００６１】
吸収液から発生した冷媒蒸気は、下方空間（S2）から区画板（132）の連通孔（132b）、上方空間（S1）及びケース（130）の連通孔（130c）を通ってケース（130）の外部に流出する。一方、吸収液は、冷媒蒸気の発生（フラッシュ）によって飛び散るが、飛散防止部材である区画板（132）によって下方空間（S2）から上方空間（S1）に飛散すること、ひいては、ケース（130）の外部に飛散することが抑制される。
【００６２】
このように、本実施形態の液撒布器（13）では、過熱器（38）から流出した吸収液が流入して、この吸収液から発生した冷媒蒸気が吸収液から分離される。
【００６３】
液撒布器（13）は、供給された吸収液を下方へ向かって撒布する。液撒布器（13）から撒布された吸収液は、伝熱プレート（14）の表面を伝って流れ、その間に伝熱プレート（14）の内部流路（140）を流れる熱媒体から吸熱する。これにより、液撒布器（13）から撒布された吸収液に含まれた冷媒（水）が蒸発し、この吸収液から冷媒蒸気（水蒸気）が発生する。発生容器（12）において、吸収液は、その濃度及び温度が上昇する。
【００６４】
再生器（11）の発生容器（12）の底部に溜まった吸収液は、溶液配管（16）を通って溶液熱交換器（37）の第２流路（37b）へ流入する。溶液熱交換器（37）において、第２流路（37b）を流れる吸収液は、その第１流路（37a）を流れる吸収液へ放熱し、その温度が低下する。溶液熱交換器（37）の第２流路（37b）から流出した吸収液は、シェル部材（20）の底部へ供給され、シェル部材（20）の底部に溜まった吸収液と混ざり合った後に溶液ポンプ（31）に吸い込まれる。
【００６５】
液撒布器（13）の内部から外部に流出した冷媒蒸気（水蒸気）を含む、発生容器（12）において発生した冷媒蒸気（水蒸気）は、蒸気配管（18）を通って凝縮器（35）へ流入する。凝縮器（35）には、ファン（36）によって室外空気が供給される。凝縮器（35）へ流入した冷媒蒸気は、室外空気へ放熱して凝縮する。
【００６６】
凝縮器（35）において凝縮した冷媒は、蒸発器（24）の液撒布部材（25）へ送られ、冷却管（26）に対して上方から撒布される。液撒布部材（25）から撒布された冷媒は、冷却管（26）の表面を伝って流れ、その間に冷却管（26）の内部を流れる空気調和装置（60）の冷媒から吸熱して蒸発する。蒸発器（24）において発生した冷媒蒸気（水蒸気）は、エリミネータ（21）を通過して吸収器（22）へ流入し、吸収器（22）の液撒布部材（23）から撒布された吸収液に吸収される。
【００６７】
−空気調和装置の運転動作−
空気調和装置（60）は、冷房運転と暖房運転を選択的に実行する。
【００６８】
先ず、空気調和装置（60）の冷房運転について説明する。冷房運転時には、四方切換弁（72）が第１状態（図１に実線で示す状態）に設定される。圧縮機（71）から吐出された冷媒は、四方切換弁（72）を通過して室外熱交換器（73）へ流入し、室外空気へ放熱して凝縮する。室外熱交換器（73）から流出した冷媒は、吸収式冷凍装置（10）の冷却管（26）へ流入する。冷凍システム（1）の運転中に冷却管（26）を流れる空気調和装置（60）の冷媒は、吸収式冷凍装置（10）の冷媒と熱交換することによって冷却される。一方、冷凍システム（1）の停止中に冷却管（26）を流れる空気調和装置（60）の冷媒は、冷却されることなく単に冷却管（26）を通過する。
【００６９】
冷却管（26）を通過した冷媒は、膨張弁（74）を通過する際に減圧され、その後に室内熱交換器（75）へ流入する。室内熱交換器（75）では、流入した冷媒が室内空気から吸熱して蒸発する。空気調和装置（60）は、室内熱交換器（75）において冷却された室内空気を室内空間へ供給する。室内熱交換器（75）から流出した冷媒は、四方切換弁（72）を通過後に圧縮機（71）へ吸入される。圧縮機（71）は、吸入した冷媒を圧縮して吐出する。
【００７０】
次に、空気調和装置（60）の暖房運転について説明する。暖房運転時には、四方切換弁（72）が第２状態（図１に破線で示す状態）に設定される。圧縮機（71）から吐出された冷媒は、四方切換弁（72）を通過して室内熱交換器（75）へ流入し、室内空気へ放熱して凝縮する。空気調和装置（60）は、室内熱交換器（75）において加熱された室内空気を室内空間へ供給する。
【００７１】
室内熱交換器（75）から流出した冷媒は、膨張弁（74）を通過する際に減圧され、その後に吸収式冷凍装置（10）の冷却管（26）を通過してから室外熱交換器（73）へ流入する。上述したように、空気調和装置（60）の暖房運転中には、冷却システムは停止している。このため、空気調和装置（60）の冷媒は、冷却管（26）を通過する際に冷却されない。室外熱交換器（73）では、流入した冷媒が室外空気から吸熱して蒸発する。室外熱交換器（73）から流出した冷媒は、四方切換弁（72）を通過後に圧縮機（71）へ吸入される。圧縮機（71）は、吸入した冷媒を圧縮して吐出する。
【００７２】
−実施形態１の効果−
本実施形態によれば、過熱器（38）の下流で且つ再生器（11）の伝熱プレート（14）の上流に配置された、再生器（11）の液撒布器（13）では、過熱器（38）から吸収液が供給されて、この吸収液から発生した冷媒蒸気が吸収液から分離される。そして、吸収液は伝熱プレート（14）へ、冷媒蒸気は凝縮器（35）へ供給される。つまり、液撒布器（13）では、吸収液が冷媒蒸気から分離されて、吸収液のみが伝熱プレート（14）へ供給される。このため、吸収液が液撒布器（13）の外部に飛散することを抑制することができる。したがって、吸収液を液撒布器（13）から伝熱プレート（14）へ均一に撒布することができる。
【００７３】
また、本発明の気液分離器を再生器（11）液撒布器（13）によって構成しているため、気液分離器を別途設けずに済む。このため、部材点数を削減することができる。
【００７４】
また、再生器（11）の液撒布器（13）では、過熱器（38）から吸収液がケース（130）の内部空間の下方空間（S2）に供給されて、この吸収液から発生した冷媒蒸気が下方空間（S2）から区画板（132）の連通孔（132b）、上方空間（S1）及びケース（130）の連通孔（130c）を通ってケース（130）の外部に流出することによって吸収液から分離される。一方、吸収液は、冷媒蒸気の発生（フラッシュ）によって飛び散るが、区画板（132）によって下方空間（S2）から上方空間（S1）に飛散すること、ひいては、ケース（130）の外部に飛散することが抑制される。つまり、液撒布器（13）では、吸収液が冷媒蒸気から分離され、吸収液のみが再生器（11）の伝熱プレート（14）へ供給される。このため、区画板（132）という簡単な構造で、吸収液が液撒布器（13）の外部に飛散することを抑制することができる。
【００７５】
また、本発明の連通手段を、区画板（132）に上方空間（S1）と下方空間（S2）とを連通させるように形成された複数の連通孔（132b）によって構成しているため、冷媒蒸気を下方空間（S2）から区画板（132）の連通孔（132b）を通って上方空間（S1）に流出させることができる。このため、簡単な構造で、冷媒蒸気を下方空間（S2）から上方空間（S1）に流出させることができる。
【００７６】
−実施形態１の変形例−
本実施形態では、上方空間（S1）と下方空間（S2）とを連通させる複数の連通孔（132b）が形成された区画板（132）に代えて、例えば、図６に示すように、網状部材（134）が、ケース（130）の内部空間を区画してもよい。網状部材（13４）の中央部には、溶液配管（133）を貫通させる貫通孔（134a）が形成されている。そして、網状部材（134）の網目が、上方空間（S1）と下方空間（S2）とを連通させる連通手段を構成している。
【００７７】
本変形例によれば、本発明の連通手段を、網状部材（134）の網目によって構成しているため、冷媒蒸気を下方空間（S2）から網状部材（134）の網目を通って上方空間（S1）に流出させることができる。このため、簡単な構造で、冷媒蒸気を下方空間（S2）から上方空間（S1）に流出させることができる。
【００７８】
《発明の実施形態２》
本発明の実施形態２について説明する。ここでは、本実施形態について、実施形態１と異なる点を説明する。
【００７９】
図７に示すように、本実施形態の吸収式冷凍装置（10）における過熱器（38）の下流で且つ再生器（11）の上流（溶液配管（17）の途中）には、気液分離器（39）が配置されている。この気液分離器（39）は、液撒布器（13）の上方に配置されている。これは、溶液配管（17）における気液分離器（39）よりも下流を流れる吸収液は、溶液ポンプ（31）による圧力が作用しないので、吸収液を再生器（11）へ供給するために、重力が必要となるからである。気液分離器（39）は、過熱器（38）から流出した吸収液が流入して、この吸収液から発生した冷媒蒸気を吸収液から分離し、吸収液を溶液配管（17）を通じて再生器（11）の液撒布器（13）へ、冷媒蒸気を蒸気配管（19）及び蒸気配管（18）を通じて凝縮器（35）へ供給する。蒸気配管（19）は、その入口端が気液分離器（39）に接続され、その出口端が蒸気配管（18）の途中に接続されている。
【００８０】
本実施形態の液撒布器（13）は、気液分離器ではない。つまり、液撒布器（13）は、ケース（130）と液撒布部（131）とを備えているが、区画板（132）を備えていない。
【００８１】
−冷凍システムの運転動作−
ここでは、本実施形態の冷凍システム（1）の運転動作について、実施形態１と異なる点を説明する。
【００８２】
過熱器（38）の第２流路（38b）から流出した吸収液は、溶液配管（17）を通って気液分離器（39）へ流入する。
【００８３】
ここで、過熱器（38）の第２流路（38b）を流れる吸収液は、溶液ポンプ（31）による圧力が作用するため、圧力が高くなる。このため、気液分離器（39）の内部空間の圧力は、過熱器（38）の第２流路（38b）を流れる吸収液の圧力よりも低くなる。
【００８４】
吸収液の沸点は、吸収液の圧力が低いほど低くなる。また、溶液配管（17）における気液分離器（39）よりも上流を流れる吸収液は、溶液ポンプ（31）による圧力が作用するため、圧力が高くなる。このため、気液分離器（39）の内部空間へ供給される吸収液の温度は、気液分離器（39）の内圧における吸収液の沸点よりも高くなる。つまり、気液分離器（39）には、過熱状態の吸収液が供給される。従って、気液分離器（39）へ供給された吸収液に含まれた冷媒（水）が蒸発（フラッシュ）し、この吸収液から冷媒蒸気（水蒸気）が発生する。
【００８５】
気液分離器（39）において、吸収液から発生した冷媒蒸気は、吸収液から分離され、蒸気配管（19）及び蒸気配管（18）を通って凝縮器（35）へ供給される。一方、冷媒蒸気から分離された吸収液は、溶液配管（17）を通って再生器（11）の液撒布器（13）へ供給される。
【００８６】
液撒布器（13）は、供給された吸収液を下方へ向かって撒布する。液撒布器（13）から撒布された吸収液は、伝熱プレート（14）の表面を伝って流れ、その間に伝熱プレート（14）の内部流路（140）を流れる熱媒体から吸熱する。これにより、液撒布器（13）から撒布された吸収液に含まれた冷媒（水）が蒸発し、この吸収液から冷媒蒸気（水蒸気）が発生する。発生容器（12）において、吸収液は、その濃度及び温度が上昇する。
【００８７】
−実施形態２の効果−
本実施形態によれば、過熱器（38）の下流で且つ再生器（11）の上流に配置された気液分離器（39）では、過熱器（38）から吸収液が供給されて、この吸収液から発生した冷媒蒸気が吸収液から分離される。そして、吸収液は再生器（11）の液撒布器（13）へ、冷媒蒸気は凝縮器（35）へ供給される。つまり、気液分離器（39）では、吸収液が冷媒蒸気から分離されて、吸収液のみが液撒布器（13）へ供給される。このため、吸収液が液撒布器（13）の外部に飛散することを抑制することができる。したがって、吸収液を液撒布器（13）から伝熱プレート（14）へ均一に撒布することができる。
【００８８】
《その他の実施形態》
上記実施形態では、液撒布器（13）のケース（130）が一体に形成されていてもよい。
【００８９】
また、上記実施形態では、吸収式冷凍装置（10）と空気調和装置（60）の室外ユニット（61）とが一つのケーシングに収容されていてもよい。
【００９０】
また、上記実施形態では、室内の空気調和を行う空気調和装置（60）に代えて、例えば冷蔵庫の庫内を冷却したり水を冷却して冷水を生成したりする冷凍機が、冷凍システム（1）に接続されていてもよい。
【産業上の利用可能性】
【００９１】
以上説明したように、本発明は、吸収式冷凍装置について有用である。
【符号の説明】
【００９２】
1     冷凍システム 
10    吸収式冷凍装置 
11    再生器
12    発生容器
13    液撒布器
130   ケース 
130c  連通孔 
131   液撒布部 
132   区画板（区画部材） 
132b  連通孔（連通手段） 
134   網状部材（区画部材） 
14    伝熱プレート（発生部） 
22    吸収器
24    蒸発器
35    凝縮器
38    過熱器
S1    上方空間 
S2    下方空間
【図１】
2014122730.tif 000003
【図２】
2014122730.tif 000004
【図３】
2014122730.tif 000005
【図４】
2014122730.tif 000006
【図５】
2014122730.tif 000007
【図６】
2014122730.tif 000008
【図７】
2014122730.tif 000009